(57)【特許請求の範囲】
【請求項１】
熱交換器、送風ファン及び電装箱を支持するフレームと、このフレームに連結され、熱交換器、送風ファン及び電装箱を覆う前パネルと、この前パネルの前面にヒンジ連結されるフィルタイジェクト装置と、このフィルタイジェクト装置を覆う吸い込みグリルとを備え、前記前パネルの前面側に配線されたフィルタイジェクト装置の電装品のケーブルを含むケーブルを当該前パネルの前面側に露出した第１コネクタに接続し、この第１コネクタに対し電装箱から延びるケーブルに接続された第２コネクタを当該前パネルの前面側で連結可能に構成したことを特徴とする空気調和装置。
【請求項２】
前記前パネルが電装箱に対応した位置に開口を備え、この開口の周縁近くに支持プレートを備え、この支持プレートに前記第１コネクタを配置したことを特徴とする請求項１記載の空気調和装置。
【請求項３】
前記支持プレートに前記第１コネクタを覆う開閉自在なカバーを設けたことを特徴とする請求項２記載の空気調和装置。
【発明の詳細な説明】
【０００１】
【発明の属する技術分野】
本発明は、フィルタイジェクト装置を備えた空気調和装置に関する。
【０００２】
【従来の技術】
近年、フィルタイジェクト装置を備えた空気調和装置が提案されている。従来の空気調和装置では、熱交換器、送風ファン及び電装箱を支持するフレームと、このフレームに連結され、熱交換器、送風ファン及び電装箱を覆う前パネルとを備え、この前パネルの内側にフィルタイジェクト装置を設けて構成されている。しかし、この構成では、イジェクトされるフィルタが、前パネルの下面に設けた開口を通じて降下する。従って、フィルタの清掃時以外は、この開口を塞ぐ必要があり、そこに開閉制御される蓋部材が設けられる。
【０００３】
この蓋部材を設けた場合、部品点数が増大し、コスト増を招く。そこで、前パネルの前面側にフィルタイジェクト装置を設け、フィルタを下方にイジェクトする場合、このフィルタイジェクト装置を覆う吸い込みグリルを前方に開き、このグリルの下方に形成された隙間を通じて、フィルタを下方にイジェクトする方式が提案されるに至っている。
【０００４】
【発明が解決しようとする課題】
しかし、この方式を採用した場合、前パネルの前面側にフィルタイジェクト装置とこれを覆う吸い込みグリルとを一体的に取り付けた後、これらを一体のものとして、熱交換器、送風ファン及び電装箱を支持するフレームに対しかぶせる作業が行われることになる。この場合、前パネルの前面側にはフィルタイジェクト装置の電装品や表示器等の各種ケーブルが配線されており、これらケーブルを、フレーム内に収納された電装箱から延びるケーブルに接続する結線作業がきわめて困難になるという問題がある。
【０００５】
そこで、本発明の目的は、上述した従来の技術が有する課題を解消し、前パネルの前面側にフィルタイジェクト装置を設けたものにおいて、前パネルの前面側に配線された各種ケーブルの結線作業を、容易に行うことができる空気調和装置を提供することにある。
【０００６】
【課題を解決するための手段】
請求項１に記載の発明では、熱交換器、送風ファン及び電装箱を支持するフレームと、このフレームに連結され、熱交換器、送風ファン及び電装箱を覆う前パネルと、この前パネルの前面にヒンジ連結されるフィルタイジェクト装置と、このフィルタイジェクト装置を覆う吸い込みグリルとを備え、前記前パネルの前面側に配線されたフィルタイジェクト装置の電装品のケーブルを含むケーブルを当該前パネルの前面側に露出した第１コネクタに接続し、この第１コネクタに対し電装箱から延びるケーブルに接続された第２コネクタを当該前パネルの前面側で連結可能に構成したことを特徴とする。
【０００７】
請求項２記載の発明は、請求項１記載のものにおいて、前記前パネルが電装箱に対応した位置に開口を備え、この開口の周縁近くに支持プレートを備え、この支持プレートに前記第１コネクタを配置したことを特徴とする。
【０００８】
請求項３記載の発明は、請求項２記載のものにおいて、前記支持プレートに前記第１コネクタを覆う開閉自在なカバーを設けたことを特徴とする。
【０００９】
【発明の実施の形態】
以下、本発明の実施の形態を、図面に基づき説明する。
【００１０】
図１乃至図３は、壁掛け型空気調和装置の縦断面図である。１は空気調和装置本体を示しており、この空気調和装置本体１は壁３に据え付けられている。この空気調和装置本体１内には、熱交換器５、送風ファン７及び電装箱８１（図６）が配置されている。空気調和装置本体１は、熱交換器５、送風ファン７及び電装箱８１を支持するフレーム２と、フレーム２に連結され、熱交換器５、送風ファン７及び電装箱８１を覆う前パネル４とを備えている。
【００１１】
この空気調和装置本体１の上部１Ａには、上部吸い込み口９が形成され、この上部１Ａの前縁部１Ｂには、フィルタイジェクト装置４０と吸い込みグリル１１とが上端１１Ａを、同一軸上の支点１２を中心にヒンジ連結した状態で、下端１１Ｂが空気調和装置本体１前面から開放自在に取り付けられている。
【００１２】
吸い込みグリル１１の内側（前パネル４の前面側）にはフィルタイジェクト装置４０が設けられ、このフィルタイジェクト装置４０によってフィルタ素材１４を有した吸い込みフィルタ１３が昇降自在に取り付けられている。
【００１３】
図４は、図３に対応し、フィルタ素材１４を有した吸い込みフィルタ１３が、下降した状態を示す外観斜視図である。
【００１４】
空気調和装置空気調和装置本体１の下部には、スクロール部１７と舌部１９とで囲まれた空気吹出し口２１が形成され、この空気吹出し口２１内には風向変更板２３が配置されている。この風向変更板２３は、空気吹出し口２１の下側長手方向に延材する幅狭の下側水平板２３Ａと、空気吹出し口２１の上側長手方向に延材する上側水平板２３Ｂと、空気吹出し口２１の短手方向に延材する複数枚の垂直板２３Ｃとを備えて構成されている。
【００１５】
図５Ａ〜図５Ｃは、吸い込みフィルタ１３の昇降機構を示す。
【００１６】
本実施形態では、この昇降機構が、吸い込みグリル１１の内面に固定されたガイド４１と、このガイド４１に案内されて昇降自在なフィルタ保持部４３と、このフィルタ保持部４３に挿入自在に構成される取り出し部４５と、この取り出し部４５に装着されるフィルタ素材１４とを備えて構成される。ガイド４１は、吸い込みグリル１１の両側に配置され、フィルタ保持部４３を両側から案内する。なお、４７は上部ガイドであり、この上部ガイド４７はフィルタ素材１４の上端部１４Ａのみを案内し、図１を参照し、この上部ガイド４７は空気調和装置本体１の上部１Ａと熱交換器５の上方との間に湾曲して延在する。
【００１７】
つぎに、吸い込みフィルタ１３の駆動システムを説明する。
【００１８】
この吸い込みフィルタ１３は左右一対のガイド４１を介して吸い込みグリル１１の内面に固定されると共に、一対のガイド４１の各下端には固定部５１が配置されている。各固定部５１にはピニオン５２が配置され、各ピニオン５２は、同期回転させるための連結軸５３で連結され、いずれか一方のピニオン５２には正逆回転可能な直流ステッピングモータが連結されている。
【００１９】
各ピニオン５２は、フィルタ保持部４３の外壁に固定されたラック４３Ａに噛み合い、直流ステッピングモータが駆動されると、ピニオン５２が同期して回転し、回転方向に応じてフィルタ保持部４３が昇降される。
【００２０】
また、固定部５１の上端部にはベルト５４の一端５４Ａが固定され、このベルト５４の他端５４Ｂは、フィルタ保持部４３の上端に固定された上部ローラ５６に巻かれて下方に延出し、ベルト５４のほぼ中間部５４Ｃが、取り出し部４５の上端に固定された後、さらに、下方に延出してフィルタ保持部４３の下端に固定された下部ローラ５７に巻かれて上方に延出し、固定部５１の下端部に固定されている。これによると、直流ステッピングモータが正回転された場合、上述したラック４３Ａとピニオン５２の噛み合いによって、フィルタ保持部４３が下降すると共に、ベルト５４のほぼ中間部５４Ｃが、取り出し部４５の上端に固定されているため、フィルタ保持部４３が該フィルタ保持部４３の最下点まで降下すると同時に、図５Ｃに示すように、取り出し部４５はさらに下方の該取り出し部４５の最下点まで下降する。一方、直流ステッピングモータが逆回転された場合、ラック４３Ａとピニオン５２の噛み合いによって、フィルタ保持部４３が上方に引き上げられると共に、ベルト５４によって取り出し部４５が、フィルタ保持部４３内に引き上げられ所定の位置に格納される。
【００２１】
上記構成では、例えば、リモートコントローラ（図示せず）からの信号入力に応じて、上述したように、吸い込みフィルタ１３が下降を開始した場合、この下降動作に連動して、図２に示すように、吸い込みグリル１１が、空気調和装置本体１の前面から開放され、吸い込みグリル１１の下端と空気調和装置本体１との間に一定の大きさの隙間１００が形成され、この隙間１００を通じて、吸い込みフィルタ１１が所定位置まで下降する機構を備える。
【００２２】
従って、リモコン等からの信号入力に応じて、吸い込みフィルタ１１が下降を開始した場合に、この下降動作に連動して吸い込みグリル１１を本体１前面から開放し、この開放により生じた隙間１００を通じて吸い込みフィルタ１１を所定位置まで下降させる機構を備えたため、空気調和装置本体１の下部に吸い込みグリル下降用の細長い開口部を設けたり、この開口部を塞ぐ蓋部材を設けたりする必要がなく、構造が簡素化され、部品点数が削減されるため、製造コストを低減することができる。また、蓋部材等が外観に現れなくなるため、美観に優れた製品が得られる、等の効果が得られる。
【００２３】
図６は、吸い込みグリル１１を取り外したときの斜視図である。
【００２４】
上記前パネル４の電装箱８１に対応した位置に開口７６が形成され、この開口７６には電装箱８１が臨んでいる。電装箱８１には、コントロール基板等の電装部品（図示せず）が内蔵されており、この電装部品から各種配線ケーブル８２が複数本導出されている。電装箱８１の電装部品には、配線ケーブル８２で上記熱交換器５に流れる冷媒を圧縮する圧縮機（図示せず）、送風ファン７のファンモータ（図示せず）が接続されている。
【００２５】
前パネル４の開口７６の周縁近くには、コネクタボックス７７が設けられ、このコネクタボックス７７内では、電装箱８１の電装部品から延びる配線ケーブル８２と、前パネル４の前面側に配線された各種配線ケーブル３２、５８とがコネクタ接続されている。配線ケーブル３２は表示装置３１のケーブルであり、配線ケーブル５８は、フィルタイジェクト装置４０のステッピングモータ５５のケーブルである。５１はステッピングモータ５５のカバーである。表示装置３１は、図４に示すように、吸い込みグリル１１の窓７５に対応して取り付けられ、この窓７５には樹脂シート等が貼設されている。
【００２６】
上記空気調和装置の組み付けは、まず吸い込みグリル１１の内側にフィルタイジェクト装置４０を連結し、さらにこれらを前パネル４の前面側に連結する。ついで、この前パネル４を、熱交換器５、送風ファン７及び電装箱８１を収納したフレーム２に対しかぶせるように取り付ける。
【００２７】
本実施形態では、前パネル４をフレーム２に取り付ける前に、図７を参照して、前パネル４の前面側に配線された、フィルタイジェクト装置４０の電装品（例えば、直流ステッピングモータ）のケーブル等を含むケーブル３２、５８を、前パネル４の前面側に露出した第１コネクタ８４Ａ、８４Ｂ等に接続しておくことが重要である。この第１コネクタ８４Ａ、８４Ｂは、コネクタボックス７７を構成する支持プレート７７Ａに固定されている。
【００２８】
この状態で、前パネル４をフレーム２に取り付けた後、電装箱８１からの配線ケーブル８２に接続された第２コネクタ８３Ａ、コネクタ８３Ｂを、開口７６からを引き出して、前パネル４の前面側で、第１コネクタ８４Ａ、８４Ｂにコネクタ接合する。この作業は容易である。
【００２９】
コネクタボックス７７はカバー７８を含み、上記コネクタ接続作業が完了したら、このカバー７８が閉じられる。支持プレート７７Ａには、切り欠き部７７Ｃが設けられ、カバー７８が閉じられると、配線ケーブル８２Ａ，８２Ｂが、切り欠き部７７Ｃ内で束ねられる。
【００３０】
本実施形態では、前パネル４の前面側にフィルタイジェクト装置４０が設けられ、フィルタを下方にイジェクトする場合、このフィルタイジェクト装置４０を覆う吸い込みグリル１１が前方に開かれ、このグリル１１の下方に形成された隙間１００を通じて、フィルタが下方にイジェクトされる。
【００３１】
この方式において、前パネル４の前面側に配線された、ステッピングモータ５５のケーブル５８等を含む各種ケーブル３２、５８が、前パネル４の前面側に露出した第１コネクタ８４Ａ、８４Ｂにあらかじめ接続されているため、この前パネル４をフレーム２に対しかぶせる作業を行った後、前パネル４の前面側の各種ケーブル３２、５８と、電装箱８１から延びる配線ケーブル８２とを接続する場合、第２コネクタ８３Ａ、コネクタ８３Ｂを、開口７６から引き出して、前パネル４の前面側で、第１コネクタ８４Ａ、８４Ｂにコネクタ接合するだけでよいため、接続作業を容易に行うことができる。
【００３２】
なお、上記複数個のコネクタ８４には、上記モータ線５８及びケーブル３２の他に、図示を省略した湿度センサ、温度センサ、リミットスイッチ等の配線ケーブルに接続されたコネクタが含まれる。
【００３３】
以上、一実施形態に基づいて、本発明を説明したが、本発明は、これに限定されるものではない。
【００３４】
【発明の効果】
本発明では、前パネルの前面側に配線された各種ケーブルが、前パネルの前面側に露出した第１コネクタにあらかじめ接続されているため、この前パネルをフレームに対しかぶせる作業を行った後、前パネルの前面側の各種ケーブルと、電装箱から延びるケーブルとを接続する場合、第２コネクタを引き出して、前パネルの前面側で、第１コネクタにコネクタ接合するだけでよいため、接続作業を容易に行うことができる。
【図面の簡単な説明】
【図１】本発明による壁掛け型空気調和装置の一実施形態を示す断面図である。
【図２】吸い込みフィルタが下がり始めた状態を示す断面図である。
【図３】吸い込みフィルタが下がりきった状態を示す断面図である。
【図４】吸い込みフィルタが下がりきった状態を示す斜視図である。
【図５】Ａ〜Ｃは、吸い込みフィルタが下がる過程を示す断面図である。
【図６】吸い込みグリルを取り外した時の斜視図である。
【図７】前パネルの開口を示した拡大図である。
【符号の説明】
１  空気調和装置本体
２  フレーム
４  前パネル
５  室内側熱交換器
７  送風ファン
１１  吸い込みグリル
１３  吸い込みフィルタ
３１  表示装置
３２  ケーブル
４０  フィルタイジェクト装置
５５  ステッピングモータ
５８  モータ線
７７  コネクタボックス
７７Ａ  支持プレート
７８  カバー
８２Ａ  配線ケーブル
８２Ｂ  配線ケーブル
８３Ａ  第２コネクタ
８３Ｂ  第２コネクタ
８４Ａ  第１コネクタ
８４Ｂ  第１コネクタ
８１  電装箱
【図１】
0003738217.tif 000002
【図２】
0003738217.tif 000003
【図３】
0003738217.tif 000004
【図４】
0003738217.tif 000005
【図５】
0003738217.tif 000006
【図６】
0003738217.tif 000007
【図７】
0003738217.tif 000008